(57)【要約】  一つ以上のナットランナー軸（１０〜１２）の支持用ナットランナー取付け構造体は、軸支持ベースプレート（１３）と、ナットランナー軸（１０〜１２）に平行にのび、しかも前端部をベースプレート（１３）に接続し、後端部を取付け構造支持手段（１８）に接続した少なくとも一つの支持ピラー（１４、１５）とを有する。各支持ピラー（１４、１５）は、前端部片（２２）及び後端部片（２３）を備えた管要素（２０）と、管要素（２０）の後端部片（２３）及びベースプレート（１３）に係合して管要素（２０）に軸方向クランプ力を加えるテンションボルト（２１）とを有する。前端部片（２２）には、回転に対して管要素（２０）をロックするために管要素（２０）及びベースプレート（１３）に貫入して管要素（２０）及びベースプレート（１３）に整合歯を形成する尖った縁部付き歯（２８、２９）が形成される。管要素（２０）には、及びベースプレート（１３）にクランプ管ユニット（３４〜３７）によって上記一つ以上の支持ピラー（１４、１５）に付加的な器具を支持しそして構造体を取付け構造体支持手段に接続するクランプユニット（３４〜３７）が管要素（２０）に取付けできる。【選択図】    図１
2008514443.tif 000002
【特許請求の範囲】
【請求項１】
一つ又は複数のナットランナー軸（１０〜１２）の前端部に垂直にのびかつ該前端部に堅固に固定されたベースプレート（１３）と、一つ又は複数のナットランナー軸（１０〜１２）に平行にのび、しかも前端部をベースプレート（１３）に接続し、後端部を取付け構造支持手段（１８）に接続した少なくとも一つの支持ピラー（１４、１５）とを有する、一つ以上のナットランナー軸（１０〜１２）の支持用ナットランナー取付け構造体において、
少なくとも一つの支持ピラー（１４、１５）の各々が
前端面（２７）及び後端面をもつ管要素（２０）と、
前端面（２７）とベースプレート（１３）との間に位置した第１端部片（２２）と、
上記管要素（２０）の上記後端面に係合するようにされた第２端部片（２３）と、
上記管要素（２０）の全長内に位置しかつ該全長に沿ってのびるテンションボルト（２１）と
を備え、
上記テンションボルト（２１）が、上記第１端部片（２２）を介してベースプレート（１３）に対して軸線方向に上記管要素（２０）をクランプするために上記第２端部片（２３）及びベースプレート（１３）と係合するようにされ、
上記第１端部片（２２）が、ベースプレート（１３）に対して回転可能にロックされかつ上記管要素（２０）の上記前端面（２７）に係合する環状面（２４）を備え、また
上記環状面（２４）には、上記前端面（２７）における整合歯（３０）と係合する歯（２８）が形成され、それにより第１端部片（２２）及びベースプレート（１３）に対して回転に抗して上記管要素（２０）をロックすること
を特徴とするナットランナー取付け構造体。
【請求項２】
上記環状面（２４）における上記歯（２８）が尖った縁部をもち、上記管要素（２０）の上記前端面（２７）に貫入するようにされ、それにより上記テンションボルト（２１）によって上記管要素（２０）に軸方向クランプ力が加えられる際に上記前端面（２７）に上記整合歯（３０）を形成することを特徴とする請求項１に記載のナットランナー取付け構造体。
【請求項３】
上記第１端部片（２２）には、上記テンションボルト（２１）によって上記管要素（２０）に軸方向クランプ力が加えられる際に、ベースプレート（１３）に貫入するようにされる尖った縁部をもつ第２の歯（２９）の組が形成され、それにより上記第１端部片（２２）ベースプレート（１３）に対して回転可能にロックされることを特徴とする請求項１又は２に記載のナットランナー取付け構造体。
【請求項４】
上記一つ以上の支持ピラー（１４、１５）の数が二つ以上であり、上記支持ピラー（１４、１５）の管要素（２０）を通ってのびるテンションボルト（２１）の係合によって上記第２端部片（２３）を介して上記支持ピラー（１４、１５）の後端部にヨーク（１６）が堅固に接続されることを特徴とする請求項１〜３のいずれか一項に記載のナットランナー取付け構造体。
【請求項５】
上記ヨーク（１６）が上記支持ピラー（１４、１５）の管要素（２０）と同じ横断面の管要素（３９）を備えていることを特徴とする請求項４に記載のナットランナー取付け構造体。
【請求項６】
一つ以上のクランプユニット（３４〜３７）によって上記一つ以上の支持ピラー（１４、１５）に付加的な器具を装着でき、上記一つ以上のクランプユニット（３４〜３７）の各々が、
上記管要素（４０）の一つにぴったりと嵌合し、かつ半径方向孔（４１）をもつスリーブ部材（４０）と、
上記孔に可動に案内され、一端部に上記管要素（２０）と同じ半径の部分円筒状凹面（４３）を備えまた他端部に球状凹面（４４）を備えたプランジ（４２）と、
上記プランジ（４２）の上記球状凹面（４４）と共動する球状端部分（４５）を形成した支持アーム（４６）と、
ねじジョイント接続体４９を介して上記スリーブ部材（４０）に取り付けられ、そして上記管要素（２０）に向って上記プランジ（４２）及び上記支持アーム（４６）を押圧するように、上記支持アーム（４６）の上記球状端部分（４５）にクランプ力を加え、それにより上記管要素（２０）に対して上記スリーブ部材（４０）を摩擦により固定し同時に上記スリーブ部材（４０）に対するあらゆる動きに抗して上記支持アーム（４６）を固定するようにしたクランプ要素（４８）と
を備えていることを特徴とする請求項１〜５のいずれか一項に記載のナットランナー取付け構造体。
【請求項７】
上記支持アーム（４６）が、上記一つ以上のナットランナー軸（１０〜１２）を手動制御するハンドル（５０、５１）の一部として形成されることを特徴とする請求項６に記載のナットランナー取付け構造体。
【請求項８】
一つ又は複数のナットランナー軸（１０〜１２）の前端部に垂直にのびかつ該前端部に堅固に固定されたベースプレート（１３）と、一つ又は複数のナットランナー軸（１０〜１２）に平行にのび、しかも前端部をベースプレート（１３）に接続し、後端部をヨーク（１６）に接続した少なくとも一つの支持ピラー（１４、１５）とを有する、一つ以上のナットランナー軸（１０〜１２）の支持用ナットランナー取付け構造体において、
少なくとも一つの支持ピラー（１４、１５）の各々が
ベースプレート（１３）及びヨーク（１６）の間にのびる管要素（２０）と、
上記管要素（２０）の全長内に位置しかつ該全長に沿ってのびるテンションボルト（２１）と
を備え、
上記テンションボルト（２１）が、その一端部でベースプレート１３に係合し、他端部で上記ヨーク（１６）に係合し、そして上記管要素（２０）に軸方向クランプ力を働かせるように構成されることを特徴とするナットランナー取付け構造体。
【請求項９】
管要素（２０）の前端部とベースプレート（１３）との間に前端部片（２２）が設けられ、上記前端部片（２２）が、ベースプレート（１３）に対して回転可能にロックされかつ上記管要素（２０）の前端部に係合する環状面（２４）を備え、また上記環状面（２４）には、上記管要素（２０）における整合歯（３０）と係合する歯（２８）が形成され、それにより前端部片（２２）及びベースプレート（１３）に対して回転に抗して上記管要素（２０）をロックすることを特徴とする請求項８に記載のナットランナー取付け構造体。
【請求項１０】
上記環状面（２４）における上記歯（２８）が尖った縁部をもち、上記管要素（２０）に貫入するようにされ、それにより上記テンションボルト（２１）によって上記管要素（２０）に上記軸方向クランプ力が加えられる結果として上記管要素（２０）に上記整合歯（３０）を形成することを特徴とする請求項９に記載のナットランナー取付け構造体。
【発明の詳細な説明】
【技術分野】
【０００１】
本発明は、一つ又は複数のナットランナー軸に堅固に固定されたベースプレート（１３）と、一つ又は複数のナットランナー軸（１０〜１２）に平行にのび、しかも前方ベースプレートと、前端部をベースプレートに接続し、後端部を取付け構造支持手段に接続した一つ以上の後方へのびる支持ピラーとを有する、一つ以上のナットランナー軸用取付け構造体に関するものである。
【背景技術】
【０００２】
従来型のナットランナー軸用取付け構造体には、不必要に重くしかも曲がったり変形したりすることなしに反動トルク関連力に耐えるのに十分な堅固さがないという欠点がある。この目的のための取付け構造体は通常、ナットランナー軸を保持する前方ベースプレートと、ベースプレートから後方へのびる一つ以上の支持ピラーとを備え、ある幾つかの場合には、支持ピラーは、ベースプレートにねじ込まれる複数の管によって形成される。他の幾つかの場合には、支持ピラーは、ベースプレートにねじ込まれる複数の管によって形成される。プロファイル端部にねじ込んだねじによってベースプレートに固定した押出アルミニウムプロファイルによって形成される。
【０００３】
支持ピラーとベースプレートとの間のねじ込み接続は、大きなトルク負荷が掛かった際にピラーが幾分回転するのを防ぐのに十分に強くも堅固でもなく、それにより構造体の堅固さが損なわれ、ナットランナー軸からの反作用トルクを平衡にできないことが証明された。
【発明の開示】
【発明が解決しようとする課題】
【０００４】
本発明の主目的は、比較的軽量でしかも変形することなく大きなトルク負荷に耐えることのできる取付け構造体を提供することにある。
【０００５】
本発明の別の目的及び利点は以下の明細書の説明及び特許請求の範囲の記載から明らかとなる。
【発明を実施するための最良の形態】
【０００６】
以下添付図面を参照して本発明の好ましい実施形態について更に詳しく説明する。
【０００７】
図示したナットランナー取付け構造体は三つのナットランナー軸１０、１１、１２を支持するようにされ、これら三つのナットランナー軸１０、１１、１２は、ベースプレート１３における孔パターンによって決められたパターンに配列されている。これらの軸は、これらの軸によって締付けられることになるねじジョイントの相対位置で指示されたパターンでベースプレート１３に堅固に固定される。軸は通常の設計のものであり、本発明の如何なる部分も形成しない。しかし、各軸は動力供給接続部を備えた円筒状ハウジング、駆動部及びナットソケットを接続する方形端部を備えた出力軸を有している。
【０００８】
取付け構造体は二つの支持ピラー１４、１５を有し、これら二つの支持ピラー１４、１５はナットランナー軸に平行にのび、そしてそれらの前端部はベースプレート１３に堅固に固定されている。支持ピラー１４、１５の後端部はヨーク１６に堅固に固定され、ヨーク１６は接続ロッド１７を介してオーバーヘッド支持手段１８に接続されている。
【０００９】
支持ピラー１４、１５の各々は、管要素２０と、管要素２０の全長にわたってのびるテンションボルト２１と、管要素２０の前端部及びベースプレート１３の間に設けた第１端部片２２と、管要素２０の後端部に設けた第２端部片２３とを備えている。テンションボルト２１は、ねじ接続体によって後端部片２３と係合し、そしてベースプレート１３を通ってのび、管要素２０を軸方向に圧縮するナット２５を保持している。それにより、管要素２０は前端部片２２を介してベースプレート１３に対してクランプされる。図２参照。
【００１０】
前端部片２２は半径方向フランジ２６を備え、このフランジ２６は管要素２０の前端面２７と係合する環状面２４を備えている。管要素２０がベースプレート１３に対して回転運動するのを防ぐために、フランジ２６には、管要素２０の前端面２７と係合する非常に細かい歯２８が形成されている。また、フランジ２６には、その下側に、ベースプレート１３と係合する非常に細かい歯２９が形成されている。端部片２２は焼入鋼で形成され、一方、管要素２０及びベースプレート１３は普通の焼入してない鋼から成っている。歯２８、２９は尖った縁部を備えているので、テンションボルト２１で大きなテンション力を加える際に、これら２８、２９は、それぞれ管要素２０の端面２７内及びベースプレート１３内に貫入する。それにより、歯２８は、管要素２０及びベースプレート１３に整合歯３０を形成し、ベースプレート１３に対する回転に抗して管要素２０をロックする。テンションボルト２１のテンション力は、結果として管要素２０に軸方向クランプ負荷を生じさせ、前端部片２２を介してベースプレート１３に対して管要素２０を堅固にクランプし、管要素２０に歯３０が形成される。
【００１１】
テンションボルト２１はそれの実質的な長さのためにある一定の弾性をもたらし、このことは、管要素２０とベースプレート１３との間にある設定がなされれば管要素２０におけるクランプ負荷が維持されることを意味している。どちらかと言えば大きな反動トルク関連力がある程度の曲げ力を含めてベースプレート１３に伝達されるので、かかる設定は全く可能であるが、テンションボルト２１の弾性のために管要素２０とベースプレート１３との間のクランプ力は常に維持される。
【００１２】
支持ピラー１４、１５の後端部は、支持ピラー１４、１５を互いにしっかりと保持する安定化要素として働くヨーク１６に接続される。またヨーク１６は、支持ピラー管要素２０と同じ直径の管要素３９によって形成され、この管要素３９は、端部片３２、３３を備え、そして端部片３２、３３にクランプ力を加えるテンションボルト３１がヨークを通ってのび、ヨーク１６を一緒に堅固なユニットして保持している。
【００１３】
本発明によるナットランナー取付け構造体はまた、一つ以上のクランプユニット３４〜３７を含み、これらのクランプユニットによって、付加的な器具が管要素２０及びヨーク１６に接続できる。これらのクランプユニット３４〜３７の各々はスリーブ部材４０を有し、スリーブ部材４０は管要素２０にぴったりと嵌合するようにされている。スリーブ部材４０は半径方向孔４１を備え、この孔４１内にプランジ４２が可動に案内される。プランジ４２にはその一側に、管要素２０と同じ半径の部分円筒状凹面４３が形成され、またプランジ４２の他側には球状凹面４４が形成され、この球状凹面４４は支持アーム４６の球状端部分４５と共動する。スリーブ部材４０にはねじ４９によって環状ロック要素４８がクランプされ、それにより、プランジ４２に対して球状端部分４５を摩擦でロックし、及び従って管要素２０に対してプランジ４２及びスリーブ部材４０を摩擦でロックする。ねじ４９を締付けると、スリーブ部材４０と管要素２０との間、及びプランジ４２と支持アーム４６との間が堅固に接続される。このことは、十分に堅固な接続ユニットが得られることを意味し、また支持アーム４６はハンドル５０、５１及びディスプレイユニット４９を支持ピラー１４、１５に取付けるのに用いることができ、そして取付け構造体をオーバーヘッド支持手段に接続するための接続ロッド１７として機能させるのに用いることができる。
【００１４】
管要素２０にぴったりと嵌合する閉じたスリーブ部材４０としてクランプユニット３４〜３７を形成すること、そして円筒状接触凹面４３を備えたプランジ４２を用いることによって、管要素２０に対するクランプ作用は、管要素２０にやさしい。これにより、管要素２０の壁厚を比較的薄く形成することができ、それにより、全取付け構造体の重さを有利に軽減できる。
【００１５】
本発明による取付け構造体は、相対的に軽いだけでなく、ナットランナー軸に対する非常に堅固で耐久性のある支持体を形成する。ナットランナー軸の先行技術の取付け構造体の場合のように、この新しい形式の非常に融通性があり、軸の数が変わってもまた支持ピラーの数が変わっても適用できる。ベースプレート１３は常に、締付けられることになる実際のねじジョイントに適用でき、このことは、ベースプレート１３における軸取付け孔のパターンが常にねじジョイントのパターンに適用できることを意味している。
【図面の簡単な説明】
【００１６】
【図１】本発明による取付け構造体の斜視図。
【図２】支持ピラー管要素の端部片構造を示す拡大図。
【図３】支持ピラー管要素に付加的な器具を固定するクランプユニットを示す拡大図。
【図１】
2008514443.tif 000003
【図２】
2008514443.tif 000004
【図３】
2008514443.tif 000005
【国際調査報告】
2008514443.tif 000006
2008514443.tif 000007
2008514443.tif 000008
2008514443.tif 000009